(57)【要約】【課題】電源装置に配設された電源基板に対する不正なアクセスをより確実に防止するとともに、電源基板の清掃作業を容易にする。【解決手段】前面側に開口を有する箱形の筐体と、筐体の前面側に開口を覆う閉止位置から開閉自在に取り付けられた前面扉と、筐体の内部に設けられて電力を供給する電源装置とを備え、前面扉が開口を覆う状態で電源装置から供給される電力により作動する遊技機において、電源装置１００は、外部から電源装置１００内に空気を吸入させる吸気口１３３と、電源装置１００内の空気を外部へ排出させる排気口１３４と、吸気口１３３を通過して電源装置１００内に吸入された空気を排気口１３４へ導くダクト構造とを備え、吸気口１３３および排気口１３４が筐体の開口側から見て隠れた位置に設けられている。【選択図】  図３
2004290255.tif 000002
【特許請求の範囲】
【請求項１】
前面側に開口を有する箱形の筐体と、前記筐体の前記前面側に前記開口を覆う閉止位置から開閉自在に取り付けられた前面扉と、前記筐体の内部に設けられて電力を供給する電源装置とを備え、前記前面扉が前記開口を覆う状態で前記電源装置から供給される電力により作動する遊技機において、
前記電源装置は、外部から前記電源装置内に空気を吸入させる吸気口と、前記電源装置内の空気を外部へ排出させる排気口と、前記吸気口を通過して前記電源装置内に吸入された空気を前記排気口へ導くダクト構造とを備え、
前記吸気口および前記排気口が、前記筐体の前記開口側から見て隠れた位置に設けられていることを特徴とする遊技機の電源装置。
【請求項２】
前記ダクト構造は、前記電源装置内に設けられて、前記電源装置内を前記吸気口に繋がる吸気側通路と前記排気口に繋がる排気側通路とに仕切るように構成された仕切部材を有し、
前記仕切部材に電源基板が着脱可能に取り付けられるとともに、前記電源基板が取り付けられた前記仕切部材が前記電源装置内に着脱可能に装着されるように構成されることを特徴とする請求項１に記載の遊技機の電源装置。
【請求項３】
前記吸気口および前記排気口が、前記筐体の壁部に設けられた通気口に接して設けられていることを特徴とする請求項１もしくは請求項２に記載の遊技機の電源装置。
【発明の詳細な説明】
【０００１】
【発明の属する技術分野】
本発明は、前面側に開口を有する箱形の筐体と、筐体の前面側に開閉自在に取り付けられた前面扉とを備えて構成される遊技機の電源装置に関し、さらに詳しくは、電源装置の不正防止構造に関する。
【０００２】
【従来の技術】
前面側に開口を有する箱形の筐体と、この筐体の前面側に開閉自在に取り付けられた前面扉とを備えて構成される遊技機の代表例として、スロットマシンがあり、筐体の内部に遊技構成装置が配設されて、前面扉が開口を覆う状態で遊技に供されるようになっている。
【０００３】
このようなスロットマシンにおいて、筐体の内部には、スロットマシンの各部に電力を供給するための電源装置が設けられており、この電源装置から供給される電力によりスロットマシンが作動するようになっている。また、電源装置の前面側には、スロットマシンを作動させるための電源スイッチや、遊技メダルの回収を行うためのメダル回収スイッチ、そしてスロットマシンの出玉率を設定するための設定スイッチ等の各操作スイッチを有する操作板が設けられており、前面扉を開いた状態で各操作スイッチを操作できるようになっている。
【０００４】
電源装置は、スロットマシンの各部に電力を供給する電源基板と、電源基板を内部に収容するカバー体とを備えて構成され、筐体の側壁部内側に接して取り付けられている。カバー体は、筐体の側壁部内側と接する側に開口部を有する箱状に形成され、カバー体が筐体の側壁部内側に接して取り付けられることで、筐体の側壁部およびカバー体により電源基板が外部に対して覆われるようになっている。これにより、カバー体の開口部を通じて電源基板をカバー体の内部へ容易に取り付けることができるため、電源装置を容易に組み立てて筐体の内部へ取り付けることができる。また、カバー体には複数の放熱穴が形成されており、電源基板等から発生する熱を外部へ逃がすことができるようになっている。
【０００５】
【特許文献１】特開２００１−１７０２４７号公報
【０００６】
【発明が解決しようとする課題】
しかしながら、セルや針金等の道具を前面扉と筐体との隙間に挿入し、電源装置の放熱穴に通過させて電源基板へ不正にアクセスしたり、あるいは、ドリル等を用いて電源装置に隣接する筐体の壁部に電源基板へ通ずる穴を開け、この穴に道具を挿入して電源基板へ不正にアクセスするという事件が発生していた。
【０００７】
また、電源基板に塵埃が溜まると短絡等による故障の原因となり、電源基板から塵埃を除去する必要があるが、従来の電源装置では装置全体を遊技機（筐体）から外し、電源装置を分解しないと塵埃の除去は不可能であった。さらに、電源装置を遊技機（筐体）から外すには、ホッパーやメダル補給器センサ等を遊技機から外す必要があったため、作業が大変煩雑となっていた。
【０００８】
本発明はこのような問題に鑑みてなされたものであり、電源装置に配設された電源基板に対する不正なアクセスをより確実に防止するとともに、電源基板の清掃作業を容易にすることを目的とする。
【０００９】
【課題を解決するための手段】
このような目的達成のため、本発明に係る遊技機の電源装置は、前面側に開口を有する箱形の筐体と、筐体の前面側に開口を覆う閉止位置から開閉自在に取り付けられた前面扉と、筐体の内部に設けられて電力を供給する電源装置とを備え、前面扉が開口を覆う状態で電源装置から供給される電力により作動する遊技機において、電源装置は、外部から電源装置内に空気を吸入させる吸気口と、電源装置内の空気を外部へ排出させる排気口と、吸気口を通過して電源装置内に吸入された空気を排気口へ導くダクト構造とを備え、吸気口および排気口が、筐体の開口側から見て隠れた位置に設けられている。
【００１０】
このような構成の遊技機の電源装置によれば、吸気口および排気口が、筐体の開口側から見て隠れた位置に設けられているため、セルや針金等の道具を前面扉と筐体との隙間に挿入しても、吸気口および排気口に達することが困難であることから、電源装置に配設された電源基板に対する不正なアクセスをより確実に防止することができる。さらに、電源装置が、吸気口から電源装置内に吸入された空気を排気口へ導くダクト構造を備えて構成されているため、電源装置内を効果的に冷却することができる。
【００１１】
また、ダクト構造は、電源装置内に設けられて、電源装置内を吸気口に繋がる吸気側通路と排気口に繋がる排気側通路とに仕切るように構成された仕切部材を有し、仕切部材に電源基板が着脱可能に取り付けられるとともに、電源基板が取り付けられた仕切部材が電源装置内に着脱可能に装着されるように構成されることが好ましい。このようにすれば、電源装置内に設けられた仕切部材に電源基板が取り付けられているため、筐体の壁部に穴を開けてセルや針金等の道具を挿入しても、仕切部材によって電源基板へ直接アクセスすることが難しいことから、電源装置に配設された電源基板に対する不正なアクセスをより確実に防止することができる。また、電源基板が取り付けられた仕切部材が電源装置内に着脱可能に装着されているため、電源基板を清掃する際に電源装置全体を遊技機（筐体）から外す必要がなく、電源基板の清掃作業や交換作業を容易にすることができる。
【００１２】
さらに、吸気口および排気口が、筐体の壁部に設けられた通気口に接して設けられていることが好ましい。このようにすれば、セルや針金等の道具を前面扉と筐体との隙間に挿入しても、吸気口および排気口に達することがより困難であることから、電源装置に配設された電源基板に対する不正なアクセスをより確実に防止することができる。
【００１３】
【発明の実施の形態】
以下、本発明の好ましい実施形態について図面を参照しながら説明する。本発明に係る電源装置を備えた遊技機の代表例としてスロットマシンＳＭを図１および図２に示しており、まず、これらの図面を参照しながらスロットマシンＳＭの全体構成について要約説明する。ここで、図１はスロットマシンＳＭの斜視図、図２は上記スロットマシンＳＭにおける前面扉を取り外した状態を示す正面図である。
【００１４】
スロットマシンＳＭは、前面側に開口を有する箱状の筐体２と、この開口を開閉自在に覆って取り付けられる前面扉３とから構成される略直方体状のキャビネットケース１内に遊技構成装置を配設して構成される。筐体２は、木製の上面板２ａ、底面板２ｂ、左側面板２ｃ、右側面板２ｄおよび背面板２ｅを接合して前面側に開口した箱状に組み立てられる。前面扉３は、筐体２および前面扉３の左側縁に跨って配設された上下のヒンジ機構（図示せず）により横開き開閉可能に取り付けられ、常には右側縁に設けられた施錠装置４を利用して筐体２に閉鎖施錠された状態で保持される。
【００１５】
筐体２の内部には、円筒外周面に沿って多種の図柄が描かれた三つのリール２１ａ，２１ｂ，２１ｃが遊技構成装置として回転可能に配設されており、さらに筐体２の内部には、三つのリール２１ａ，２１ｂ，２１ｃを回転・停止駆動させるリール装置２１、遊技メダルの払出を行うメダル払出装置（ホッパとも称される）２２、メダル払出装置２２内の遊技メダルの有無を検知するメダル補給器センサ２３、スロットマシンＳＭの作動を統括的に制御する主制御基板５０、リール装置２１やメダル払出装置２２、主制御基板５０等の構成機器に電力を供給する電源装置１００などが取り付けられている。
【００１６】
一方、前面扉３には、メダル投入口３１、スタートレバー３２や停止ボタン３３ａ，３３ｂ，３３ｃ等や、左右のスピーカ３４，３４等が取り付けられ、図示しないワイヤーハーネス（電気配線）で筐体２側の主制御基板５０や電源装置１００などと接続されている。また前面扉３の中間部には、三つのリール２１ａ，２１ｂ，２１ｃと位置整合して透視窓３７が配設されており、三つのリールの所定範囲を機体正面に臨ませている。さらに前面扉３の中央下部には、前面扉３に設けられたメダル通路（図示せず）と位置整合してメダル払出口３８が設けられるとともに、その下部に受け皿３９が配設されており、図示しないメダルセレクタから返却される返却メダルや、メダル払出装置２２から払い出された遊技メダルがメダル払出口３８を通過して受け皿３９で受け止められ貯留されるように構成されている。
【００１７】
このように構成されたスロットマシンＳＭでは、遊技者がメダル投入口３１より遊技メダルを投入し、スタートレバー３２を操作すると、三つのリール２１ａ，２１ｂ，２１ｃが回転起動する。遊技者は回転している三つのリール２１ａ，２１ｂ，２１ｃを任意に選択し、所望の順序及びタイミングで停止ボタン３３ａ，３３ｂ，３３ｃを操作して、三つのリール２１ａ，２１ｂ，２１ｃを停止させる。
【００１８】
回転していた三つのリール２１ａ，２１ｂ，２１ｃが全て停止すると、入賞図柄の判定、すなわち当たりかはずれかの判定が行われ、図柄の組み合わせが予め定められた入賞図柄の組み合わせに該当するときには、メダル払出装置２２より所定枚数の遊技メダルが払い出される。なお、このときスピーカ３４，３４より効果音が発生する。
【００１９】
このように本スロットマシンＳＭで遊技を行う遊技者は、表示された図柄が予め定められた組み合わせに該当しなかったとき（はずれのとき）には投入した遊技メダルを失うが、表示された図柄が予め定められた組み合わせに該当したとき（当たりのとき）には投入した枚数以上の遊技メダルを獲得し得ることとなり、遊技メダルを増やすという興趣を楽しむことができる。
【００２０】
次に、図３〜図６を参照しながら、本発明に係る電源装置１００について説明する。ここで、図３は電源装置１００の分解斜視図、図４は電源装置１００に構成される操作部１４０を取り外した状態を示す電源装置１００の正面図、図５は図４中の矢印Ｖ−Ｖに沿った右側面図、そして図６は図５中の矢印ＶＩ−  ＶＩに沿った平面図である。電源装置１００は、電源基板アッセンブリ１１０と、電源基板アッセンブリ１１０を収容保持するカバー体１２０と、種々の操作スイッチを有してカバー体１２０の前面側に取り付けられた操作部１４０とを主体に構成される。
【００２１】
電源基板アッセンブリ１１０は、主制御基板５０等の構成機器に電力を供給する電源基板１１１と、電源基板１１１が取り付けられた仕切部材１１６とを備えて構成される。電源基板１１１は、基板上の所定位置に配設された電力生成部品等の各電子部品（図示せず）を有して構成され、主制御基板５０等の構成機器に電力を供給するようになっている。図４に示すように、電源基板１１１にはハーネス１１３の一端に配設されたコネクタ１１４が取り付けられており、電源基板１１１がコネクタ１１４およびハーネス１１３を介して主制御基板５０等の構成機器と電気的に接続されるようになっている。
【００２２】
仕切部材１１６は、金属板材を用いて、カバー体１２０より僅かに低い高さを有するとともにカバー体１２０より小さい奥行きを有する板状に形成され、電源基板１１１が取り付けられた状態でカバー体１２０の内部に収容保持されるように構成される。そして、図４および図６に示すように、仕切部材１１６（すなわち電源基板アッセンブリ１１０）がカバー体１２０の内部に収容保持された状態で、カバー体１２０（すなわち電源装置１００）の内部が吸気口１３３に繋がる吸気側通路Ａ１と排気口１３４に繋がる排気側通路Ａ２とに仕切られ、仕切部材１１６と操作部１４０との間に形成される開口連通部１１８を介して吸気側通路Ａ１と排気側通路Ａ２とが連通するようになっている。
【００２３】
仕切部材１１６の四隅には基板取付ボス１１７が設けられており、基板取付ネジ１１２を用いて電源基板１１１が仕切部材１１６の右方に取り付けられるようになっている。これにより、電源基板１１１が仕切部材１１６に対して離れた状態で取り付けられるため、電源基板１１１が放熱し易くなるとともに、電源基板１１１の短絡（ショート）を防止することができる。
【００２４】
カバー体１２０は、カバー部材１２１と、カバー部材１２１の後部（裏側）に取り付けられた裏板１３１とを主体に構成され、筐体２の底面板２ｂ、左側面板２ｃおよび背面板２ｅに接した状態で筐体２の内部に取り付けられる。カバー部材１２１は、金属板材を用いて前後に開口を有する方形箱状に形成され、内部に電源基板アッセンブリ１１０を収容するように構成される。
【００２５】
カバー部材１２１の底部には、底板取付穴１２２が形成されており、図４に示すように、カバー取付ネジ１２２ａを底板取付穴１２２に通過させて筐体２の底面板２ｂにネジ固定することにより、カバー部材１２１の底部が底面板２ｂに取付固定されるようになっている。カバー部材１２１の左側部には、左側面板取付穴１２３，１２３が形成されており、図４に示すように、カバー取付ネジ１２３ａを左側面板取付穴１２３に通過させて筐体２の左側面板２ｃにネジ固定することにより、カバー部材１２１の左側部が左側面板２ｃに取付固定されるようになっている。
【００２６】
カバー部材１２１の後部（裏側）には、裏板取付部１２４がネジ穴１２４ａを有して形成されており、裏板１３１が取り付けられるようになっている。カバー部材１２１の前部左側上下には、操作板取付部１２５が上方へ突出するヒンジ軸１２５ａを有して形成されており、操作部１４０の操作板１４１が揺動開閉自在に取り付けられるようになっている。カバー部材１２１の前部右側上下には、操作板固定部１２６がネジ穴１２６ａを有して形成されており、操作板１４１がカバー部材１２１の前部開口を覆う状態で固定されるようになっている。
【００２７】
カバー部材１２１の右側部前方には、逃げ穴１２７が形成されており、電源基板１１１に繋がるハーネス１１３が通過するようになっている。カバー部材１２１の内側上下には、前後に延びるスライドレール部１２８，１２８が互いに対向して設けられており、仕切部材１１６が前後へスライド移動可能に取り付けられるようになっている。スライドレール部１２８の前端には、ガイド部１２９が左右に開いて形成されており、仕切部材１１６をスライドレール部１２８へ取り付け易くなっている。
【００２８】
裏板１３１は、金属板材を用いてカバー部材１２１における後部開口の形状に合わせた板状に形成される。裏板１３１の四隅には、裏板取付穴１３２が形成されており、裏板取付ネジ１３８が通過するようになっている。そして、図６に示すように、裏板取付ネジ１３８を裏板取付穴１３２に通過させてカバー部材１２１の裏板取付部１２４にネジ固定することにより、裏板１３１がカバー部材１２１の後部開口を覆う状態でカバー部材１２１の裏側（後部）に取り付けられる。
【００２９】
裏板１３１の右側には、多数の吸気口１３３が形成されており、外部の空気がこの吸気口１３３を通過してカバー体１２０（すなわち、電源装置１００）の内部に吸入されるようになっている。裏板１３１の左側には、排気口１３４が形成されており、カバー体１２０（すなわち、電源装置１００）内の空気がこの排気口１３４を通過して外部へ排出されるようになっている。
【００３０】
裏板１３１の裏面側には、ファン１３９が排気口１３４に位置整合して取り付けられている。ファン１３９は、ファン取付ネジ１３９ａを排気口１３４の周囲四箇所に形成されたファン取付穴１３５にネジ固定することにより、裏板１３１の裏面側に取り付けられる。そして、ファン１３９を作動させることにより、カバー体１２０（すなわち、電源装置１００）内の空気が排気口１３４から外部へ強制的に排出されるとともに、外部の空気が吸気口１３３からカバー体１２０の内部に吸入されるようになっている。
【００３１】
なお、筐体２の背面板２ｅには、図５および図６に示すように、通気口２５がカバー体１２０の裏面側（すなわち、裏板１３１）に位置整合して形成されており、吸気口１３３および排気口１３４が通気口２５の前面側に接するとともに、ファン１３９が通気口２５内に位置するようになっている。これにより、カバー体１２０（すなわち、電源装置１００）内の空気を排気口１３４および通気口２５からスロットマシンＳＭの外部へ排出させるとともに、スロットマシンＳＭの外部の空気を通気口２５および吸気口１３３からカバー体１２０の内部に吸入させることができ、電源装置１００の放熱効果を高めることができる。
【００３２】
裏板１３１の表面側、すなわちカバー体１２０の内面側には、上下に延びる仕切部材保持部１３６が設けられており、仕切部材１１６の一端と嵌合して仕切部材１１６を着脱可能に装着保持するようになっている。そして、仕切部材１１６をカバー部材１２１のスライドレール部１２８に取り付けてカバー体１２０の開口部から後方へスライド移動させ、仕切部材１１６の一端を仕切部材保持部１３６へ嵌合させることにより、仕切部材１１６、すなわち電源基板アッセンブリ１１０が仕切部材保持部１３６に着脱可能に装着保持された状態でカバー体１２０の内部に収容される。
【００３３】
これにより、前述したように、仕切部材１１６（すなわち電源基板アッセンブリ１１０）がカバー体１２０の内部に収容保持された状態で、カバー体１２０（すなわち電源装置１００）の内部が吸気口１３３に繋がる吸気側通路Ａ１と排気口１３４に繋がる排気側通路Ａ２とに仕切られ、仕切部材１１６の他端と操作部１４０との間には吸気側通路Ａ１と排気側通路Ａ２とを連通させる開口連通部１１８が形成される。
【００３４】
操作部１４０は、種々の操作スイッチが配設された操作板１４１と、操作板１４１の前面側に揺動開閉可能に取り付けられたカバーパネル１５１とを主体に構成される。操作板１４１は、板状の形態をなし、ＡＢＳ樹脂等の樹脂材料を用いて射出成形等の成形手段により図示する形状に一体的に形成される。操作板１４１には、図３に示すように、スロットマシンＳＭを作動させるための電源スイッチ１４４や、遊技メダルの回収を行うためのメダル回収スイッチ１４５、スロットマシンＳＭの出玉率を設定するための設定スイッチ１４６、エラーの解除等を行うリセットボタン１４７等の各操作スイッチが配設されている。
【００３５】
操作板１４１の左端部上下には、ヒンジ穴１４２が形成されており、操作板取付部１２５のヒンジ軸１２５ａと係合することで、操作板１４１（すなわち操作部１４０）がカバー部材１２１の操作板取付部１２５に揺動開閉自在に取り付けられる。一方、操作板１４１の右端部上下には、操作板固定穴１４３が形成されており、操作板固定ネジ（図示せず）を操作板固定穴１４３に通過させて操作板固定部１２６のネジ穴１２６ａにネジ固定することで、操作板１４１がカバー部材１２１の前部開口を覆う状態でカバー部材１２１の操作板固定部１２６に固定される。これにより、操作部１４０（操作板１４１）がカバー体１２０の前面側に取付固定されて、電源基板１００が吸気口１３３および排気口１３４のみを有する略密閉構造となり、この状態で電源基板１００が使用される。
【００３６】
カバーパネル１５１は、ポリカーボネートやメタクリル樹脂、そしてＡＢＳ樹脂等の透明な樹脂材料を用いて、図示する形状に一体的に形成され、操作板１４１の表面を覆うように構成される。カバーパネル１５１の左端部上下には、ヒンジ部１５２，１５２が形成されており、操作板１４０の上下のカバー開閉支持部（図示せず）とそれぞれ係合することで、カバーパネル１５１が操作板１４１に対し操作板１４１の表面を覆う閉鎖位置から揺動開閉自在に取り付けられる。
【００３７】
カバーパネル１５１の右端中央部には、ラッチ１５３が取り付けられており、カバーパネル１５１が操作板１４１の表面を覆う閉鎖位置に位置する状態で、操作板１４１のラッチ係合部（図示せず）と係合することにより、カバーパネル１５１を閉鎖位置でロック保持するようになっている。また、操作板１４１がカバー体１２０の前面側に固定されていない状態で、カバーパネル１５１を閉止位置でロック保持するラッチ１５３を把持することにより、操作板１４１（すなわち操作部１４０）を容易に揺動開閉することができる。なお、図６に示すように、筐体２の左側面板２ｃには逃げ部２６が形成されており、操作板１４１が揺動開閉する際に左側面板２ｃと干渉しないようになっている。
【００３８】
以上のように構成される電源装置１００において、ファン１３９を作動させると、スロットマシンＳＭの外部の空気は、図６に示すように、背面板２ｅの通気口２６から裏板１３１の吸気口１３３を通過してカバー体１２０内部の吸気側通路Ａ１に吸入され、さらにカバー体１２０内部の開口連通部１１８および排気側通路Ａ２を通過した後、裏板１３１の排気口１３４およびファン１３９を通過して通気口２５からスロットマシンＳＭの外部に排出される。このようにして、電源装置１００が、吸気口１３３から電源装置１００内に吸入された空気を排気口１３４へ導くダクト構造を備えて構成されているため、吸気口１３３および排気口１３４のみを有する略密閉構造の電源装置１００においても、電源装置１００内を効果的に冷却することができる。
【００３９】
なお、電源装置１００に配設された電源基板１１１への不正なアクセスを防止するため、電源基板１００を吸気口１３３および排気口１３４のみを有する略密閉構造にしている。そして、吸気口１３３および排気口１３４が、筐体２の開口側から見て隠れた位置である電源装置１００の裏面側に設けられている。そのため、セルや針金等の道具を前面扉３と筐体２との隙間に挿入しても、吸気口１３３および排気口１３４に達することが困難であることから、電源装置１００に配設された電源基板１１１に対する不正なアクセスをより確実に防止することができる。
【００４０】
さらに、吸気口１３３および排気口１４４が、筐体２の背面板２ｅに設けられた通気口２５に接して設けられている。そのため、セルや針金等の道具を前面扉３と筐体２との隙間に挿入しても、吸気口１３３および排気口１３４に達することがより困難であることから、電源装置１００に配設された電源基板１１１に対する不正なアクセスをより確実に防止することができる。
【００４１】
また、電源装置１００は筐体２の左側面板２ｃに接して取り付けられているが、カバー部材１２１により電源装置１００の左側面を覆うようにしている。そのため、筐体２の左側面板２ｃに穴を開けてセルや針金等の道具を挿入しても、金属製のカバー部材１２１によって電源基板１１１へアクセスすることが困難であることから、電源装置１００に配設された電源基板１１１に対する不正なアクセスをより確実に防止することができる。
【００４２】
さらに、電源装置１００内に収容保持された仕切部材１１６の右方に電源基板１１１を取り付けている。そのため、筐体２の左側面板２ｃおよびカバー部材１２１に穴を開けてセルや針金等の道具を挿入しても、電源基板１１１の左方に位置する仕切部材１１６によって電源基板１１１へ直接アクセスすることが難しいことから、電源装置１００に配設された電源基板１１１に対する不正なアクセスをより確実に防止することができる。
【００４３】
また、操作部１４０を揺動開放させた状態で、仕切部材１１６をカバー部材１２１のスライドレール部１２８に取り付けてカバー体１２０の開口部から後方へスライド移動させ、仕切部材１１６の一端を裏板１３１の仕切部材保持部１３６へ嵌合させることにより、仕切部材１１６、すなわち電源基板アッセンブリ１１０が電源装置１００（ケース体１２０）内部に着脱可能に収容保持されるようにしている。これにより、電源基板１１１を清掃する（外す）際には、操作部１４０を揺動開放させて仕切部材１１６（電源基板アッセンブリ１１０）を前方にスライド移動させればよく、電源装置１００全体をスロットマシンＳＭ（筐体２）から外す必要がないため、電源基板１１１の清掃作業や交換作業を容易にすることができる。
【００４４】
以上のような構成の電源装置１００によれば、吸気口１３３および排気口１３４が、筐体２の開口側から見て隠れた位置、すなわち筐体２の背面板２ｅに設けられた通気口２５に接して設けられているため、セルや針金等の道具を前面扉３と筐体２との隙間に挿入しても、吸気口１３３および排気口１３４に達することが困難であることから、電源装置１００に配設された電源基板１１１に対する不正なアクセスをより確実に防止することができる。さらに、電源装置１００が、吸気口１３３から電源装置１００内に吸入された空気を排気口１３４へ導くダクト構造を備えて構成されているため、電源装置１００内を効果的に冷却することができる。
【００４５】
また、電源装置１００内に設けられた仕切部材１１６に電源基板１１１が取り付けられているため、筐体２の左側面板２ｃに穴を開けてセルや針金等の道具を挿入しても、仕切部材１１６によって電源基板１１１へ直接アクセスすることが難しいことから、電源装置１００に配設された電源基板１１１に対する不正なアクセスをより確実に防止することができる。さらに、電源基板１１１が取り付けられた仕切部材１１６が電源装置１００内に着脱可能に装着されているため、電源基板１１１を清掃する際に電源装置１００全体をスロットマシンＳＭ（筐体２）から外す必要がなく、電源基板１１１の清掃作業や交換作業を容易にすることができる。
【００４６】
なお、上述の実施形態において、仕切部材１１６がカバー体１２０の内部に収容保持された状態で、仕切部材１１６の他端と操作部１４０との間に開口連通部１１８が形成されるようになっているが、これに限られるものではない。
【００４７】
例えば、図７に示すように、仕切り部材２１６を操作部１４０と当接するようにするとともに、仕切り部材２１６の他端側に上方へ向けて開口した複数の連通開口部２１８を形成するようにしてもよい。このようにすれば、上述の実施形態における電源装置１００（ダクト構造）と同様の冷却効果が得られるのに加え、筐体２の左側面板２ｃおよびカバー部材１２１に穴を開けてセルや針金等の道具を挿入しても、上方へ向けて開口した連通開口部２１８によって電源基板１１１へ直接アクセスすることがより難しくなり、電源装置１００に配設された電源基板１１１に対する不正なアクセスをより確実に防止することができる。
【００４８】
また例えば、図８に示すように、仕切り部材２２６を操作部１４０と当接するようにするとともに、仕切り部材２２６の他端側に取っ手機能を兼ねた楕円形の連通開口部２２８を形成するようにしてもよい。このようにすれば、上述の実施形態における電源装置１００（ダクト構造）と同様の冷却効果が得られるのに加え、取っ手機能を兼ねた連通開口部２２８により仕切り部材２２６の着脱を容易に行うことができる。
【００４９】
また、上述の実施形態において、図９に示すように、電源基板１１１に雄コネクタ２３１を配設するとともに、主制御基板５０等の構成機器に繋がるハーネス（図示せず）と電気的に接続された雌コネクタ２３２を裏板１３１における雄コネクタ２３１と対向する位置に配設し、仕切部材１１６の一端を仕切部材保持部１３６へ嵌合させるのと同時に、雄コネクタ２３１と雌コネクタ２３２とを電気的に接続させるようにしてもよい。これにより、仕切部材１１６、すなわち電源基板アッセンブリ１１０がカバー体１２０の内部に収容保持された状態で、電源基板１１１が雄コネクタ２３１および雌コネクタ２３２を介してハーネスと電気的に接続されるため、カバー部材１２１に逃げ穴を形成する必要がなく、電源装置の密閉度を向上させることができる。また、電源基板アッセンブリ１１０の着脱を容易に行うことができ、電源基板１１１の清掃作業や交換作業をより容易にすることができる。
【００５０】
さらに、上述の各実施形態において、揺動開閉可能な操作部１４０が電源基板１００（ケース体１２０）の前面側に設けられるとともに、仕切部材１１６が電源基板１００（ケース体１２０）の内部に前後にスライド移動可能に設けられているが、これに限られるものではない。
【００５１】
例えば、図１０に示すように、仕切部材３１６（電源基板アッセンブリ３１０）がケース体３２０の内部に上下にスライド移動可能に取り付けられるとともに、ケース体３２０の上面側を形成する開閉部材３２５が仕切部材３１６の上部に固定され、仕切部材３１６（電源基板アッセンブリ３１０）がカバー体３２０の開口部から下方へスライド移動してケース体３２０（電源装置３００）内部に収容されたときに、開閉部材３２５がカバー体３２０の開口部を覆うように構成されてもよい。このようにすれば、仕切部材３１６（電源基板アッセンブリ３１０）および開閉部材３２５が一体であるため、電源基板アッセンブリ３１０の着脱を容易に行うことができ、電源基板の清掃作業や交換作業をより容易にすることができる。
【００５２】
なおこのとき、開閉部材３２５に取っ手３２６を設けてもよい。このようにすれば、電源基板アッセンブリ３１０の着脱をより容易に行うことができる。またこのとき、開閉部材３２５の四隅にラッチ３２７，３２７，…を設け、開閉部材３２５がカバー体３２０の開口部を覆う状態で、カバー体３２０に設けられたラッチ係合部（図示せず）と係合させるようにしてもよい。このようにすれば、開閉部材３２５の固定（ロック）操作を容易に行うことができる。なお、開閉部材３２５を仕切部材３１６の上部に固定するのではなく、上述の実施形態における操作部１４０と同様に、カバー体３２０の上部（開口部）に揺動開閉自在に取り付けるようにしてもよい。
【００５３】
また、上述の各実施形態において、本発明に係る電源装置１００がスロットマシンＳＭに設けられているが、これに限られるものではなく、例えば、アーケードゲーム機等、前面側に開口を有する箱形の筐体と、筐体の前面側に開口を覆う閉止位置から開閉自在に取り付けられた前面扉と、筐体の内部に設けられて電力を供給する電源装置とを備え、前面扉が前記開口を覆う状態で電源装置から供給される電力により遊技に供される遊技機に設けられていればよい。
【００５４】
【発明の効果】
以上説明したように、本発明による遊技機の電源装置によれば、吸気口および排気口が、筐体の開口側から見て隠れた位置に設けられているため、セルや針金等の道具を前面扉と筐体との隙間に挿入しても、吸気口および排気口に達することが困難であることから、電源装置に配設された電源基板に対する不正なアクセスをより確実に防止することができる。さらに、電源装置が、吸気口から電源装置内に吸入された空気を排気口へ導くダクト構造を備えて構成されているため、電源装置内を効果的に冷却することができる。
【００５５】
また、ダクト構造は、電源装置内に設けられて、電源装置内を吸気口に繋がる吸気側通路と排気口に繋がる排気側通路とに仕切るように構成された仕切部材を有し、仕切部材に電源基板が着脱可能に取り付けられるとともに、電源基板が取り付けられた仕切部材が電源装置内に着脱可能に装着されるように構成されることが好ましい。このようにすれば、電源装置内に設けられた仕切部材に電源基板が取り付けられているため、筐体の壁部に穴を開けてセルや針金等の道具を挿入しても、仕切部材によって電源基板へ直接アクセスすることが難しいことから、電源装置に配設された電源基板に対する不正なアクセスをより確実に防止することができる。また、電源基板が取り付けられた仕切部材が電源装置内に着脱可能に装着されているため、電源基板を清掃する際に電源装置全体を遊技機（筐体）から外す必要がなく、電源基板の清掃作業や交換作業を容易にすることができる。
【００５６】
さらに、吸気口および排気口が、筐体の壁部に設けられた通気口に接して設けられていることが好ましい。このようにすれば、セルや針金等の道具を前面扉と筐体との隙間に挿入しても、吸気口および排気口に達することがより困難であることから、電源装置に配設された電源基板に対する不正なアクセスをより確実に防止することができる。
【図面の簡単な説明】
【図１】本発明に係る電源装置を備えた遊技機の一例として示すスロットマシンの斜視図である。
【図２】上記スロットマシンにおける前面扉を取り外した状態を示す正面図である。
【図３】本発明に係る電源装置の分解斜視図である。
【図４】電源装置に構成される操作部を取り外した状態を示す電源装置の正面図である。
【図５】図４中の矢印Ｖ−Ｖに沿った右側面図である。
【図６】図５中の矢印ＶＩ−  ＶＩに沿った平面図である。
【図７】仕切部材の別形態を示す拡大側面図である。
【図８】仕切部材のさらに別の形態を示す拡大側面図である。
【図９】電源装置における電気的接続の別形態を示す斜視図（部分断面図）である。
【図１０】電源装置の別形態を示す斜視図である。
【符号の説明】
ＳＭ  スロットマシン
１  キャビネットケース
２  筐体（２ａ  上面板，２ｂ  底面板，２ｃ  左側面板
２ｃ  右側面板，２ｅ  背面板）
３  前面扉
４  施錠装置
２１  リール装置（２１ａ，２１ｂ，２１ｃ  リール）
２２  メダル払出装置
２３  メダル補給器センサ
２５  通気口
２６  逃げ部
３１  メダル投入口
３２  スタートレバー
３３ａ，３３ｂ，３３ｃ  停止ボタン
３４  スピーカ
３７  透視窓
３８  メダル払出口
３９  受け皿
５０  主制御基板
１００  電源装置（第一実施形態）
１１０  電源基板アッセンブリ
１１１  電源基板
１１２  基板取付ネジ
１１３  ハーネス
１１４  コネクタ
１１６  仕切部材
１１７  基板取付ボス
１１８  開口連通部
１２０  カバー体
１２１  カバー部材
１２２  底板取付穴（１２２ａ  カバー取付ネジ）
１２３  左側面板取付穴（１２３ａ  カバー取付ネジ）
１２４  裏板取付部（１２４ａ  ネジ穴）
１２５  操作板取付部（１２５ａ  ヒンジ軸）
１２６  操作板固定部（１２６ａ  ネジ穴）
１２７  逃げ穴
１２８  スライドレール部
１２９  ガイド部
１３１  裏板
１３２  裏板取付穴
１３３  吸気口
１３４  排気口
１３５  ファン取付穴
１３６  仕切部材保持部
１３８  裏板取付ネジ
１３９  ファン（１３９ａ  ファン取付ネジ）
１４０  操作部
１４１  操作板
１４２  ヒンジ穴
１４３  操作板固定穴
１４４  電源スイッチ
１４５  メダル回収スイッチ
１４６  設定スイッチ
１４７  リセットボタン
１５１  カバーパネル
１５２  ヒンジ部
１５３  ラッチ
２１６  仕切部材（別実施形態）
２１８  連通開口部
２２６  仕切部材（別実施形態）
２２８  連通開口部
２３１  雄コネクタ
２３２  雌コネクタ
３００  電源装置（別実施形態）
３１０  電源基板アッセンブリ
３１６  仕切部材
３２０  ケース体
３２５  開閉部材
３２６  取っ手
３２７  ラッチ
【図１】
2004290255.tif 000003
【図２】
2004290255.tif 000004
【図３】
2004290255.tif 000005
【図４】
2004290255.tif 000006
【図５】
2004290255.tif 000007
【図６】
2004290255.tif 000008
【図７】
2004290255.tif 000009
【図８】
2004290255.tif 000010
【図９】
2004290255.tif 000011
【図１０】
2004290255.tif 000012